(57)【要約】【課題】挿入に対して改善された安全性を可能とし、容易に製造できかつ耐用年数が長く、かつ挿入に対して、形状が安定した一定の保護を有する、エスカレータまたは動く歩道を提供する。【解決手段】本発明は、手すり３と、指接触保護カバー６を有する手すり入口５とを備えた、エスカレータまたは動く歩道１に関し、指接触カバーは波形剛毛８を備える。【選択図】      図３
2006036538.tif 000002
【特許請求の範囲】
【請求項１】
手すり（３）と指接触保護カバー（６）を有する手すり入口（５）とを備え、指接触保護カバーが波形の剛毛（８）を備えることを特徴とする、エスカレータまたは動く歩道（１）。
【請求項２】
波状の剛毛が、手すりと指接触保護カバーとの間の間隙（９）を実質的に低減することを特徴とする、請求項１に記載のエスカレータまたは動く歩道。
【請求項３】
手すり入口が、側板（２）に固定されるエンドキャップ（７）に取り付けられることを特徴とする、請求項１または２に記載のエスカレータまたは動く歩道。
【請求項４】
剛毛の端部は、丸みを有することを特徴とする、請求項１から３のいずれか一項に記載のエスカレータまたは動く歩道。
【請求項５】
指接触カバー（６）を有するエスカレータまたは動く歩道（１）の手すり入口（５）であって、指接触保護カバーが、波形の剛毛を有することを特徴とする、エスカレータまたは動く歩道（１）の手すり入口（５）。
【請求項６】
エスカレータまたは動く歩道（１）の手すり（３）と、手すり入口（５）の指接触保護カバー（６）との間の間隙（９）を実質的に低減する方法であって、波形の剛毛（８）が、指接触保護カバーに取り付けられていることを特徴とする、方法。
【発明の詳細な説明】
【技術分野】
【０００１】
本発明は、独立請求項の規定による、手すりと指接触保護カバーを有する手すり入口とを備えるエスカレータまたは動く歩道と、このようなエスカレータの手すり入口と、手すり入口の間隔を低減する方法とに関する。
【０００２】
以下の説明においては、表現「エスカレータ」は、動く歩道も含み、表現「ステップ」は動く歩道のプレートも含む。
【背景技術】
【０００３】
従来のエスカレータのステップは、２つの輸送チェーンに固定され、そのチェーンと共にエンドレス循環ステップベルトを形成し、このステップベルトは、エスカレータの端部２箇所でそれぞれ対の輸送チェーンホイール上を走行する。対の輸送チェーンホイールの一方は、駆動ステーションの一部であり、ステップベルトを駆動し、対のチェーンホイールの他方は、ステップベルト偏向ステーションの一部である。ステップベルトの個々のステップは、２つのフロントガイドローラおよび２つのリヤガイドローラを備え、これらのローラで、ステップは、場所に応じて画定される位置で、エスカレータの支持構造体に主として固定される、ガイドおよび偏向カムにより案内される。
【０００４】
エスカレータまたは動く歩道において、手すりは、規則により、ステップベルトまたはプレートベルトと同期してまたはほぼ同期して移動しなければならない。ステップベルト前進量に対する手すりの前進量は、最大でも１０％でなければならない。
【０００５】
手すりは、エンドレスゴムベルトまたはプラスチック材料のベルトから成り、これらのベルトは、伸張性の搬送体および補強材を備え、Ｃ字形の断面を有し、かつ特殊な形状の手すり案内輪郭で滑動する。別の材料も使用できる。
【０００６】
過去には、幅が広く重量の大きい閉鎖された鋼板の側板（ｂａｌｕｓｔｒａｄｅ）が通常であったが、最近では、安全ガラス製の側板がますます容認されている。これらガラス製の側板により、必要な安定性を損なうことなく、より薄くて軽い構造体が可能になっている。
【０００７】
この種のエスカレータおよび動く歩道の場合、側板を形成するガラス板上に、ローラ軸受を介して手すりを取り付け、またスライドガイドとして機能する固定板が配置されている。固定板は、側板の側方向に、手すりのＣ字形断面の両端に向かってそれぞれＵ字形で延びる。公差を補償するために、間隙が、固定板と手すりとの間に残されなければならない。この理由は、そこに接する手すりの端部が、相当な摩擦を作り、この摩擦が、容認できる熱を生じかつ駆動力ならびに磨耗を増加するからである。
【０００８】
このため、間隙または空隙を、手すり入口と手すりとの間に残す必要がある。手すり入口は、側板における開口部であり、この開口を通して、エンドレス手すりが案内され後方に戻される。
【０００９】
この種の間隙または空隙には、安全上の危険がある。両側にある遊びのため、間隙の幅は、指の厚さに達する可能性があり、そのため、指の挿入、特に子供による指の挿入、ならびに利用者が挟まれる危険性およびその他の負傷の危険性は、避けられない。
【００１０】
このことから、間隙への指の挿入を防止するデフレクタ表面を作製する試験が実施されてきた。ガラス側板を有するエスカレータまたは動く歩道の場合、上階（枠組）の先端部および下階（枠組）の先端部に、または動く歩道の上側先端部および動く歩道の下側先端部に、左右の各々にそれぞれの指接触保護カバーが取り付けられる。このことは、剛毛（ｂｒｉｓｔｌｅ）を有するエスカレータの手すり入口の指保護カバーを提供する、米国特許第３８３５９７７号の明細書から知られている。
【００１１】
手すりによる絶え間のない摩擦により、このような剛毛は耐用年数が極めて短いため、この解決策では不都合であることが証明されている。手すりまたは利用者の手により及ぼされる力は、形状の安定性が不十分な剛毛の構造に損傷を与える。さらに、このような剛毛は、薄く構成される必要があり、利用者の目では識別が難しい。
【特許文献１】米国特許第３８３５９７７号明細書
【発明の開示】
【発明が解決しようとする課題】
【００１２】
したがって、本発明は、請求項１の導入部分によるエスカレータまたは動く歩道を作製する目的に基づき、このエスカレータまたは動く歩道は、挿入に対して改善された安全性を可能とし、容易に製造できかつ耐用年数が長く、かつ挿入に対して、形状が安定した一定の保護を有する。
【課題を解決するための手段】
【００１３】
本発明によれば、この目的は、独立請求項により満たされる。有利な展開は、下位請求項で明らかになる。
【００１４】
本発明によれば、手すりと、指接触保護カバーを有する手すり入口とを備えるエスカレータまたは動く歩道が提供され、エスカレータまたは動く歩道は、波形の剛毛を有する指接触保護カバーを備える。
【００１５】
指接触保護カバーは、手すりが通って案内される開口部を有するエスカレータの領域である。
【００１６】
波形の剛毛は、長手方向に真直ぐではなく、波状の構造を有する剛毛を意味する。これは、エスカレータに使用される、長手方向に真直ぐな従来の剛毛とは対照的である。
【００１７】
機械的試験の結果は、手すりによる摩擦が、手すり入口での波形の剛毛が、形状の安定性が高く、真直ぐな剛毛よりも耐用年数が長いことで低減されることを示している。波状の構造は、剛毛の機械的強度を増加し、手すりまたは利用者の手により及ぼされる力の分布を改良する。波状の構造は、真直ぐな剛毛と比べると長手方向の軸に対して斜め方向の変形に対して剛毛を安定させる。真直ぐな剛毛が、長手方向軸の方向に押される場合、剛毛は変形し、もはや反発力を発揮できない。これと対照的に、波形の剛毛は、長手方向軸の方向への圧力を弾性応力として受け入れ、この弾性応力は、波形で保存され、その方向に剛毛を維持し、剛毛は変形されない。
【００１８】
本発明は、指接触保護カバーが波形の剛毛を備えているため、手すり入口または手すりの導入部分の実質的な改良を示している。この新規な発明において、指接触保護カバーは、波形の剛毛を用いることで達成される。  剛毛の端部が利用者に影響を与える不測の事態として、時には利用者がその部分に指を置く場合、利用者が無意識に急に自分の手を引っ込めるような種類の感覚上の刺激があり、この結果、捕捉および圧迫の危険性から保護される。圧縮された波形の剛毛により生成される感覚上の刺激は、機械的安定性が高いことにより、長手方向の軸周りに簡単に曲げることができないため、真直ぐの剛毛により生成される刺激より強力である。
【００１９】
本発明の好ましい実施形態においては、剛毛の端部は丸みを有する。これは、剛毛との接触の際に利用者の指の損傷の危険性を減少させるため、有利である。接触した場合、このような剛毛は、利用者の傷の原因にならない。
【００２０】
本発明の第２の好ましい実施形態においては、波形の剛毛は、実質的に手すりと指接触保護カバーとの間の間隙を減少する。これは、空隙への利用者の指の侵入の危険性をさらに低減するため、有利である。
【００２１】
波形の剛毛の使用により、さらに、より豊富な剛毛の集積体が生成されるが、剛毛の量の増加をする必要のない点から、保護の向上が実現される。手すり入口または手すりの導入部分は、同数の剛毛がより密に置かれる。指の挿入に対する優れた保護は、これにより達成される。
【００２２】
本発明の別の好ましい実施形態においては、手すり入口は、側板に固定されたエンドキャップに設けられる。この解決策は、エスカレータにおける波形の剛毛の装着をもっとも迅速および簡単にし、生産および装着における費用を削減する。
【００２３】
本発明のさらに好ましい実施形態においては、エスカレータまたは動く歩道の手すり入口は、波形の剛毛を有する指接触保護カバーを有する。この解決策により、従来のエスカレータへの、波形の剛毛を有する新しい手すり入口の迅速で、簡単な、経済的な装着が可能となる。
【００２４】
本発明の最後の好ましい実施形態においては、エスカレータまたは動く歩道の手すりと手すり入口の指接触保護カバーとの間の間隙は、波形の剛毛により実質的に減少する。これは、従来のエスカレータを最新化でき、手すりと指接触保護カバーとの間の空隙への利用者の指の侵入の危険性がさらに低減されるため、有利である。
【発明を実施するための最良の形態】
【００２５】
本発明の実施形態の例は、図１から図４に示されており、下記により詳細に説明される。
【００２６】
エスカレータ１の最も重要な構成要素は、図１に概略的に示されている。循環するエンドレスステップベルトは、輸送チェーン駆動ホイールユニットを介して駆動ユニットにより駆動されており、エスカレータ支持構造体に一体化されている。
【００２７】
図１では、ガラス側板２、手すり３、枠組４を有するエスカレータ１を見ることができ、また、エスカレータの指接触保護カバー６の場所を示す細部Ａおよび第２の細部Ａ’として見ることができる。
【００２８】
図２では、指接触保護カバー６を有する手すり入口５を示す、細部Ａおよび／または第２の細部Ａ’が見られる。
【００２９】
図３では、細部Ａは、より拡大された縮尺で見ることができ、指接触保護カバー６および手すり３、ならびに波形の剛毛８および前部（端部）の板またはフロントキャップ７を示している。間隙または空隙９は、手すり３と指接触保護カバー６との間に存在している。
【００３０】
図４では、指接触保護カバー６を個別の部品として見ることができる。波形の剛毛８は、ここでは特に明瞭に表れている。
【００３１】
図４で明らかなとおり、指接触保護カバー６は、真直ぐな剛毛に比べて優れた形状安定性、大きい機械的強度、および長い耐用年数を特徴とする、波形の剛毛８を備える。
【００３２】
本発明の好ましい実施形態によれば、剛毛の端部は丸みを有する。
【００３３】
これは、剛毛と接触する際の利用者の指の損傷の危険性を低減するので有利である。
【００３４】
本発明によれば、指接触保護カバー６は、同時に複数の役割を実行する。例えば新聞の切れ端、プラスチック袋構成材、小石、衣服の糸、およびほこり、雪および氷の粗粒などの異物の侵入を防ぐ。
【００３５】
人、特に小さな子供が内部に手を入れることは、波状の剛毛により防がれる。結果として、手すり入口または手すりの導入部分５まで駆動された手すり３に追従することは不可能となる。
【００３６】
さらに、指接触保護カバーは、ガラスの側板２に対してエスカレータまたは動く歩道からの視覚上の閉鎖を形成する。
【００３７】
波形の剛毛は、その密度により、走行している駆動された手すり３と指接触保護カバー６との間の間隙または空隙９を実質的に低減し、間隙または空隙９への利用者の指の侵入の危険性をさらに低減する。
【００３８】
さらに、波形の剛毛８の使用およびその密度により、視界からの良好な保護が得られ、前部（端部）の板またはフロントキャップまたはエンドキャップ７内への、駆動された手すり３の進入（すなわち見えなくなること）を完全に隠すまたは閉鎖する。
【００３９】
手すり入口または手すりの導入部分５は、通常隠され、エスカレータまたは動く歩道１の、利用者または使用者の目には見えない。
【００４０】
波形の剛毛８の使用により、剛毛の（数）量を増加させる必要なく、より豊富な剛毛の集積体が生成される。手すり入口または手すりの導入部分５は、同数の剛毛がより密に置かれる。
【００４１】
図３に示されているとおり、手すり入口５が、側板２に固定されたエンドキャップ７に装着されると有利である。この解決策により、エスカレータの波形剛毛８の装着が最も迅速で簡単になり、生産および装着の費用が削減される。
【図面の簡単な説明】
【００４２】
【図１】エスカレータの概略配置を示す図である。
【図２】エスカレータの手すり入口部分を詳細に示す図である。
【図３】手すり入口を示す図である。
【図４】指接触保護カバーを示す図である。
【符号の説明】
【００４３】
１  エスカレータ
２  ガラス側板
３  手すり
４  枠組
５  手すり入口
６  指接触保護カバー
７  フロントキャップ
８  波形の剛毛
９  間隙
【図１】
2006036538.tif 000003
【図２】
2006036538.tif 000004
【図３】
2006036538.tif 000005
【図４】
2006036538.tif 000006
【外国語明細書】
2006036538.tif 000007
2006036538.tif 000008
2006036538.tif 000009
2006036538.tif 000010
2006036538.tif 000011
2006036538.tif 000012
2006036538.tif 000013
2006036538.tif 000014
2006036538.tif 000015
2006036538.tif 000016
2006036538.tif 000017
2006036538.tif 000018
2006036538.tif 000019